(57)【特許請求の範囲】
【請求項１】
フィルムで構成されるパウチ本体の上縁中央部に、容器から上方に突出する注出ノズルが差込み可能なノズル受け部を設け、該ノズル受け部を下に向けて注出ノズルに差し込むことによってパウチ本体を容器に対して倒立状態に手放しで支持可能とし、
前記ノズル受け部にはノズル受け部に差し込まれる注出ノズルによって開封可能な弱シール部を設け、
前記ノズル受け部はパウチ本体から外部に突出しており、突出長さがノズル受け部に流入する内容物によって生じる立体的な膨らみ部の先端が位置する自己閉塞点よりも長く設定され、弱シール部を開封した後は、自己閉塞点によって自己閉塞可能な構成となっており、
さらに、前記ノズル受け部は一対のフィルム片によって構成され、弱シール部はフィルム片間をシールする剥離可能の接着部によって構成され、接着強度はサイドシール部よりも弱く、注出ノズルを差し込む力によって剥離可能な程度に設定されていることを特徴とする詰め替えパウチ。
【請求項２】
パウチ本体は、上部が台形で下部が四角形状の表裏一対の側壁フィルムを熱溶着により貼り合わせた袋体である請求項１に記載の詰め替えパウチ。
【発明の詳細な説明】
【０００１】
【発明の属する技術分野】
本発明は、容器に内容物を詰め替えるための詰め替えパウチに関する。
【０００２】
【従来の技術】
従来のこの種の詰め替えパウチは、パウチ本体から突出する注口部を切断して開口し、パウチ本体を両手で支えて注口部を慎重に容器開口部に差し込み、パウチ本体を傾け、パウチ本体の内容物を容器内に移すようになっていた。
【０００３】
【発明が解決しようとする課題】
しかしながら、従来の詰め替えパウチの場合には、パウチの注口部を開封する手間がかかるばかりか、開封したパウチから内容物がこぼれないように慎重な作業を強いられ、さらに詰め替えが終わるまでパウチを支え続ける必要があり、詰め替え作業が非常に面倒であった。また、詰め替えパウチ内に内容物が残ってしまった場合、注出ノズルをリシールする機能がなかった。
【０００４】
本発明は上記した従来技術の問題点を解決するためになされたもので、その目的とするところは、開封作業が不要で、手放しで簡単に内容物の詰め替えができる詰め替えパウチを提供することにある。
【０００５】
【課題を解決するための手段】
上記目的を達成するために、請求項１に記載の発明は、フィルムで構成されるパウチ本体の上縁中央部に、容器から上方に突出する注出ノズルが差込み可能なノズル受け部を設け、該ノズル受け部を下に向けて注出ノズルに差し込むことによってパウチ本体を容器に対して倒立状態に手放しで支持可能とし、前記ノズル受け部にはノズル受け部に差し込まれる注出ノズルによって開封可能な弱シール部を設け、前記ノズル受け部はパウチ本体から外部に突出しており、突出長さがノズル受け部に流入する内容物によって生じる立体的な膨らみ部の先端が位置する自己閉塞点よりも長く設定され、弱シール部を開封した後は、自己閉塞点によって自己閉塞可能な構成となっており、さらに、前記ノズル受け部は一対のフィルム片によって構成され、弱シール部はフィルム片間をシールする剥離可能の接着部によって構成され、接着強度はサイドシール部よりも弱く、注出ノズルを差し込む力によって剥離可能な程度に設定されていることを特徴とする。
【０００６】
パウチ本体は、上部が台形で下部が四角形状の表裏一対の側壁フィルムを熱溶着により貼り合わせた袋体であることを特徴とする。
【０００７】
【発明の実施の形態】
以下に本発明を図示の実施の形態に基づいて説明する。
図１は、本発明の実施の形態に係る詰め替えパウチを示している。
すなわち、この詰め替えパウチ１は、図１（Ａ），（Ｂ）に示すように、フィルムで構成されるパウチ本体２に、容器３０から上方に向かって突出する注出ノズル３１が差込可能なノズル受け部４４が設けられ、このノズル受け部４４を下に向けて注出ノズル３１に差し込むことによってパウチ本体２を容器３０に対して倒立状態に支持可能としている。また、ノズル受け部４４には注出ノズル３１によって開封可能な易開封部としての弱シール部４５が設けられている。
【０００８】
注出ノズル３１は、いわゆるトランジッションタイプのキャップ３２に設けられたもので、キャップ３２が容器３０の開口部に被着されている。キャップ３２は、その天面に円形の凹部３３が設けられ、この凹部３３底面から注出ノズル３１が突出している。注出ノズル３１は断面Ｕ字形状に開いた樋状のノズルである。
【０００９】
パウチ本体２は、上部が台形で下部が四角形状の表裏一対の側壁フィルム２１，２１を熱溶着により貼り合わせた袋体で、その上縁中央部にノズル受け部４４が設けられている。ノズル受け部４４の左右両肩部は左右両端に向けて下方に傾斜している。図示例ではフィルム２１，２１の底部に底部フィルム２２を溶着した自立袋を例示しているが、自立袋に限定されるものではなく、底部フィルムを持たない他の袋構造でもよい。
【００１０】
ノズル受け部４４をパウチ本体２の外部にのみ突出する構成とし、詰め替え後は自己閉塞機能によりシールするようにしたものである。すなわち、この詰め替えパウチ１も、フィルムで構成されるパウチ本体２と、このパウチ本体２に設けられ容器３０側の注出ノズル３１が差込まれるノズル受け部４４とを備え、ノズル受け部４４にパウチ本体２を密封し注出ノズル３１の差込みによって開封可能な易開封部としての弱シール部４５が設けられている。
【００１１】
ノズル受け部３は一対のフィルム片４４１，４４１によって構成され、弱シール部４５はフィルム片４４１，４４１間をシールする剥離可能の接着部によって構成される。接着強度はサイドシール部４４２，４４２よりも弱く、注出ノズル３１を差し込む力によって剥離可能な程度に設定される。弱シール部５の接着強度は、たとえば、サイドシール部４４２，４４２よりも接着幅を狭くしたり、溶着時間や溶着温度を制御することによって調整可能である。
また、ノズル受け部４４の突出長さが、図１（Ｄ）に示すように、ノズル受け部４４に流入する内容物によって立体的に膨らんだ膨らみ部４６の先端が位置する自己閉塞点Ｐよりも長く設定し、自己閉塞可能な構成としている。
すなわち、ノズル受け部４４は内容物が進入してフィルム片４４１，４４１が膨らんで立体形状となるが、自由状態では、この膨らみ形状は付け根位置が最大高さとなり、先端に向けて徐々に高さが低くなると共に左右の幅も徐々に狭くなって、ノズル受け部４４の中途に位置する自己閉塞点Ｐで自己閉塞してシールされる。
自己閉塞点Ｐは、パウチ本体２を構成する側壁フィルム２１，２１およびノズル受け部４４の形状、弾性係数，面剛性，内容物の充填量，残気量等によって定まるものであり、内容物の種類，粘度等に応じて予め実験によって求めておく。
【００１２】
次に、本実施の形態の詰め替えパウチ１による詰め替え作業について説明する。
すなわち、図１（Ａ）に示すように、ノズル受け部４４を下に向けた状態で詰め替えパウチ１を片手で持ち、ノズル受け部４４に手を添えて差込口に注出ノズル３１に差込む。注出ノズル３１先端はノズル受け部４４を押し広げながら奥に進入して、弱シール部４５を突き破り、パウチ本体２内部と容器内部が導通して内容物の詰め替えが行われる（図１（Ｃ）参照）。
詰め替えパウチ１は容器上部の注出ノズル３１に保持されるので、詰め替え時には手放し状態でよく、詰め替え作業を片手で簡単に行うことができる。特に、ノズル受け部４４がパウチ本体２の上辺ほぼ中央位置に設けられているので、容器に対してバランスよく保持される。
なお、上記実施の形態ではパウチ本体の肩部を傾斜する構成として説明したが、パウチ本体の形状，構造については内容物の種類，性状等に応じて適宜選択することができる。したがって、形状としてはパウチ本体の肩部を水平にして全体として四角形状としてもよいし、表裏２枚のフィルムで構成せずに１枚のフィルムで構成してもよいし、種々の形態をとることができる。
【００１３】
【発明の効果】
以上説明したように、本請求項１に記載の発明によれば、パウチ本体の上縁中央部に容器側の注出ノズルが差込み可能なノズル受け部を設け、ノズル受け部を下に向けて注出ノズルに差し込むことによってパウチ本体を容器に対して手放しで倒立状態に支持し、ノズル受け部に注出ノズルの差込みによって開封可能な弱シール部を設けたので、充填作業はノズル受け部を容器側の注出ノズルに差し込むだけで自動的に開封されると共に、差し込んだ後は手放しで自動的に充填することができ、詰め替え作業にかかる労力を大幅に軽減することができる。
また、ノズル受け部をパウチ本体から外部に突出させ、突出長さを自己閉塞点よりも長く設定したので、簡単な構成でありながら詰め替え後のパウチをリシールすることができる。
さらに、ノズル受け部は一対のフィルム片によって構成され、弱シール部はフィルム片間をシールする剥離可能の接着部によって構成したので、開封作業が簡単にできる。
【図面の簡単な説明】
【図１】図１は本発明の実施の形態に係る詰め替えパウチを示すもので、同図（Ａ）は詰め替え作業状態の概略正面図、同図（Ｂ）は同図（Ａ）の詰め替えパウチの正面図、同図（Ｃ）はノズル受け部近傍の部分斜視図、同図（Ｄ）は自己閉塞によるリシール機能の説明図、
である。
【符号の説明】
１ 詰め替えパウチ、
２ パウチ本体、２１ 側壁フィルム
３０ 容器、３１ 注出ノズル、３２ キャップ
４４ ノズル受け部、４４１ フィルム片，４４２ サイドシール部
４５ 弱シール部（易開封部）
４６ 膨らみ部
Ｐ 自己閉塞点
【図１】
0004110803.tif 000002